(57)【要約】【課題】ハンチ構造の有無に関わらずコーナメンブレンパネルを支持することができ、コーナメンブレンパネルの縁部に限られない箇所を押さえることが可能であり、かつ、周囲に断熱材を容易に配置可能なメンブレンアンカー機構を提供する。【解決手段】コンクリート壁の内壁面側に断熱材を介して設けられるメンブレンをコンクリート壁に対して固定するメンブレンアンカー機構であって、コンクリート壁に立設される棒状の脚部と、コンクリート壁から離間された状態で脚部によって支持されると共に断熱材及びメンブレンを貫通する貫通孔に挿入されるアンカーと、貫通孔を介してアンカーに固定されると共にメンブレンを押さえる押圧部品とを備える。【選択図】図２
2015096755.tif 000002
【特許請求の範囲】
【請求項１】
低温タンクにおいて、コンクリート壁の内壁面側に断熱材を介して設けられるメンブレンを前記コンクリート壁に対して固定するメンブレンアンカー機構であって、
前記コンクリート壁に立設される棒状の脚部と、
前記コンクリート壁から離間された状態で前記脚部によって支持されると共に前記断熱材及び前記メンブレンを貫通する貫通孔に挿入されるアンカーと、
前記貫通孔を通じて露出する前記アンカーに固定されると共に前記メンブレンを押さえる押圧部品と
を備えることを特徴とするメンブレンアンカー機構。
【請求項２】
前記メンブレンが、低温タンクのコーナ部に配置される湾曲されたメンブレンパネルであるコーナメンブレンパネルを有し、
前記コーナ部を形成する前記コンクリート壁の複数の内壁面の各々に対して前記脚部が立設され、前記押圧部品が前記コーナメンブレンパネルを押さえていることを特徴とする請求項１記載のメンブレンアンカー機構。
【請求項３】
前記押圧部品は、前記メンブレンを形成するメンブレンパネルの熱変形の中央位置を押圧するように配置されていることを特徴とする請求項１または２記載のメンブレンアンカー機構。
【請求項４】
前記脚部が接続されるベース部と、
前記ベース部に設けられると共に前記アンカーを回動可能に支持するジョイントと
を備えることを特徴とする請求項１〜３いずれか一項に記載のメンブレンアンカー機構。
【請求項５】
前記脚部は、両端に設けられるスタッドボルトと、当該スタッドボルトが螺合されるロングナットとを有することを特徴とする請求項１〜４いずれか一項に記載のメンブレンアンカー機構。
【発明の詳細な説明】
【技術分野】
【０００１】
本発明は、メンブレンアンカー機構に関するものである。
【背景技術】
【０００２】
従来から、複数のメンブレンパネルが溶接されてなるメンブレンを有するメンブレン式の低温タンクにおいては、薄く剛性の低いメンブレンの形状を保つため、メンブレンアンカー機構によって断熱材を介してコンクリート壁に押さえるようにして支持する構成が用いられている（例えば、特許文献１参照）。このようなメンブレン式の低温タンクとしては、様々な形状のものが使用されており、例えば角型や円筒型等のコーナ部を有する形状のものも広く使用されている。特許文献２には、低温タンクのコーナ部に設置されるメンブレンパネル（コーナメンブレンパネル）を支持するメンブレンアンカー機構が開示されている。このような特許文献２に開示されるメンブレンアンカー機構は、コーナ部に設けられるハンチ構造部の境界部分に設置され、コーナメンブレンパネルの縁部を支持する。
【先行技術文献】
【特許文献】
【０００３】
【特許文献１】特公昭６３−２３４４０号公報
【特許文献２】特開２００９−７９７３６号公報
【発明の概要】
【発明が解決しようとする課題】
【０００４】
しかしながら、上述のようなハンチ構造は、コーナ部を有する全ての低温タンクに設けられているものではない。このため、全ての低温タンクに対して、特許文献２に開示されたようなメンブレンアンカー機構を採用することはできない。また、支持箇所がコーナメンブレンパネルの縁部に限定されるメンブレンアンカー機構では、例えばメンブレンパネルの中央を押さえるというような柔軟な配置を行うことができない。
【０００５】
また、メンブレンパネルとコンクリート壁との間において隙間が生じると、低温タンクの保冷性能が低下する。メンブレンアンカー機構が設置される箇所においては、特に上述のような隙間が生じやすいことから、メンブレンアンカー機構は、当該メンブレンアンカー機構が設置される箇所においても容易に断熱材を配置することができる構造であることが望ましい。
【０００６】
本発明は、上述する問題点に鑑みてなされたもので、ハンチ構造の有無に関わらずコーナメンブレンパネルを支持することができ、コーナメンブレンパネルの縁部に限られない箇所を押さえることが可能であり、かつ、周囲に断熱材を容易に配置可能なメンブレンアンカー機構を提供することを目的とする。
【課題を解決するための手段】
【０００７】
本発明は、上記課題を解決するための手段として、以下の構成を採用する。
【０００８】
第１の発明は、低温タンクにおいて、コンクリート壁の内壁面側に断熱材を介して設けられる金属製のメンブレンを上記コンクリート壁に対して固定するメンブレンアンカー機構であって、上記コンクリート壁に立設される棒状の脚部と、上記コンクリート壁から離間された状態で上記脚部によって支持されると共に上記断熱材及び上記メンブレンを貫通する貫通孔に挿入されるアンカーと、上記貫通孔を通じて露出する上記アンカーに固定されると共に上記メンブレンを押さえる押圧部品とを備えるという構成を採用する。
【０００９】
第２の発明は、上記第１の発明において、上記メンブレンが、低温タンクのコーナ部に配置される湾曲されたメンブレンパネルであるコーナメンブレンパネルを有し、上記コーナ部を形成する上記コンクリート壁の複数の内壁面の各々に対して上記脚部が立設され、上記押圧部品が上記コーナメンブレンパネルを押さえているという構成を採用する。
【００１０】
第３の発明は、上記第１または第２の発明において、上記押圧部品が、上記メンブレンを形成するメンブレンパネルの熱変形の中央位置を押圧するように配置されているという構成を採用する。
【００１１】
第４の発明は、上記第１〜第３いずれかの発明において、上記脚部が接続されるベース部と、上記ベース部に設けられると共に上記アンカーを回動可能に支持するジョイントとを備えるという構成を採用する。
【００１２】
第５の発明は、上記第１〜第４いずれかの発明において、上記脚部が、両端に設けられるスタッドボルトと、当該スタッドボルトが螺合されるロングナットとを有するという構成を採用する。
【発明の効果】
【００１３】
本発明によれば、コンクリート壁に立設される棒状の脚部に対してアンカーが取り付けられている。このように脚部とアンカーとが別体とされることにより、脚部に対するアンカーの取付姿勢を容易に変更することが可能となる。したがって、断熱材及びメンブレンを貫通する貫通孔がどのような位置に設けられている場合であっても、この貫通孔の形成位置に応じた脚部とアンカーとの取付姿勢を採用することで、アンカーを貫通孔に挿入可能な位置に容易に配置することができる。このような貫通孔に挿通されたアンカーに対して押圧部品が固定されて当該押圧部品によってメンブレンが押さえられることから、本発明によれば、上記貫通孔の位置を任意に設定し、メンブレンの任意の箇所を押さえることができる。また、脚部はコンクリート壁のどの位置にも立設することができることから、コンクリート壁にハンチ構造が設けられているか否かに関係なく、メンブレンアンカー機構を設置することができる。さらに、本発明によれば、棒状の脚部にアンカーが支持されるため、アンカーとコンクリート壁との間に大きな空間が形成される。このため、当該空間に容易に断熱材を配置することができ、メンブレンアンカー機構の周囲に断熱材を容易に配置することができる。
【図面の簡単な説明】
【００１４】
【図１】本発明の一実施形態の三面コーナメンブレンアンカー機構及び二面コーナメンブレンアンカー機構を備える低温タンクの断面斜視図である。
【図２】本発明の一実施形態の三面コーナメンブレンアンカー機構を含む三面コーナ部の断面図である。
【図３】本発明の一実施形態の三面コーナメンブレンアンカー機構の押圧部品を除き、かつ、保冷材層を省略して図示した斜視図である。
【図４】本発明の一実施形態の三面コーナメンブレンアンカー機構の脚部及び押圧部品を除いた図であり、（ａ）がアンカーの軸に沿う方向から見た平面図であり、（ｂ）がアンカーの軸に沿う方向と直交する方向から見た側面図であり、（ｃ）が（ｂ）のＡ矢視図である。
【図５】本発明の一実施形態の三面コーナメンブレンアンカー機構の押圧部品を示す図であり、（ａ）が平面図であり、（ｂ）が側面図である。
【図６】本発明の一実施形態の二面コーナメンブレンアンカー機構を含む二面コーナ部の断面図である。
【図７】本発明の一実施形態の三面コーナメンブレンアンカー機構を含む組立工程を示す斜視図である。
【図８】本発明の一実施形態の三面コーナメンブレンアンカー機構を含む組立工程を示す斜視図である。
【発明を実施するための形態】
【００１５】
以下、図面を参照して、本発明に係るメンブレンアンカー機構の一実施形態について説明する。なお、以下の図面において、各部材を認識可能な大きさとするために、各部材の縮尺を適宜変更している。
【００１６】
図１は、低温タンク１の断面斜視図である。低温タンク１は、容器本体２と、平面メンブレンアンカー機構３と、本発明の一実施形態である三面コーナメンブレンアンカー機構４及び二面コーナメンブレンアンカー機構５とを備えている。
【００１７】
容器本体２は、外槽を形成するコンクリート壁２ａと、内槽を形成するメンブレン２ｂと、コンクリート壁２ａの内壁面に貼付されるベーパーバリア２ｃ（図２参照）と、当該ベーパーバリア２ｃとメンブレン２ｂとの間に設置される保冷材層２ｄとを備えた角型の容器である。
【００１８】
コンクリート壁２ａは、容器本体２の外殻を形成するコンクリートからなる壁部であり、メンブレン２ｂ等を支える強度部材である。メンブレン２ｂは、内部に貯留される低温液体（例えば液化アルゴン）に直接触れる部位であり、保冷材層２ｄを介してコンクリート壁２ａの内壁面側に設置されている。このようなメンブレン２ｂには、縦横に格子状に延在し、メンブレン２ｂの熱変形を吸収するコルゲーション２ｂ１が設けられている。このようなメンブレン２ｂは、例えばステンレス鋼からなる厚さ数ｍｍの薄板状のメンブレンパネルが溶接されることで形成されている。
【００１９】
ここで容器本体２は、角型とされていることから、３面（例えば、２つの側壁面と底面、あるいは、２つの側壁面と天面）とが集まる箇所に形成されるコーナ部（以下、三面コーナ部２Ａ）と、２面（例えば、側壁面と底面、側壁面同士、あるいは、側壁面と天面）とが集まる箇所に形成されるコーナ部（以下、二面コーナ部２Ｂ）とを有している。これらのコーナ部に配置されるメンブレンパネルは、コーナ部の形状に応じて湾曲されている。以下、コーナ部以外の領域に配置される平面上のメンブレンパネルを平面メンブレンパネルＭ１と称し、三面コーナ部２Ａに配置されるメンブレンパネルを三面コーナメンブレンパネルＭ２（コーナメンブレンパネル）と称し、二面コーナ部２Ｂに配置されるメンブレンパネルを二面コーナメンブレンパネルＭ３と称する。
【００２０】
ベーパーバリア２ｃは、コンクリート壁２ａの内壁面の全域に貼付される金属製の薄板部材である。このようなベーパーバリア２ｃは、コンクリート壁２ａを通過しようとする水分等を遮蔽し、容器本体２の気密性を向上させる。
【００２１】
保冷材層２ｄは、外層部２ｄ１と、内層部２ｄ２と、充填部２ｄ３（図２等参照）とを備えている。外層部２ｄ１は、保冷材層２ｄのコンクリート壁２ａ側を形成する層であり、同一の厚みの保冷パネルＨ１を隙間なく敷き詰めることにより形成されている。内層部２ｄ２は、保冷材層２ｄのメンブレン２ｂ側を形成する層であり、同一の厚みの保冷パネルＨ２を隙間なく敷き詰めることにより形成されている。充填部２ｄ３は、外層部２ｄ１と、内層部２ｄ２とを敷き詰めたときに生じてしまう隙間に対して充填される部位であり、設置される隙間の形状と一致する形状とされている。このような充填部２ｄ３としては、例えば、後述する三面コーナメンブレンアンカー機構４のベース部４ｂと外層部２ｄ１との間に形成される隙間（図２参照）に充填されるもの（以下、三面コーナ部用充填部２ｄ４と称する）や、後述する二面コーナメンブレンアンカー機構５のベース部５ｂと外層部２ｄ１との間に形成される隙間（図６参照）に充填されるもの（以下、二面コーナ部用充填部２ｄ５と称する）が設置されている。
【００２２】
このような保冷材層２ｄは、例えばＰＵＦ（硬質ウレタンフォーム）によって形成されており、メンブレン２ｂとベーパーバリア２ｃが貼付されたコンクリート壁２ａとの隙間を埋めている。
【００２３】
メンブレン２ｂと保冷材層２ｄとには、各メンブレンパネルの熱変形の中央位置に配置される貫通孔６が設けられている。これらの貫通孔６には、平面メンブレンアンカー機構３のアンカー３ｂ、三面コーナメンブレンアンカー機構４のアンカー４ｅ、あるいは二面コーナメンブレンアンカー機構５のアンカー５ｅが挿入される。
【００２４】
平面メンブレンアンカー機構３は、ベーパーバリア２ｃを介してコンクリート壁２ａの内壁面に設けられる基台３ａと、基台３ａに固定されると共に上記貫通孔６に挿入されるアンカー３ｂと、貫通孔６から露出するアンカー３ｂに固定されると共に平面メンブレンパネルＭ１を容器本体２の内部側からコンクリート壁２ａに向けて押さえる押圧部品３ｃとを備えている。
【００２５】
図２は、三面コーナメンブレンアンカー機構４を含む三面コーナ部２Ａの断面図である。また、図３は、三面コーナメンブレンアンカー機構４の押圧部品３ｃを除き、かつ、保冷材層２ｄを省略して図示した斜視図である。また、図４は脚部４ａ及び押圧部品４ｆを除いた三面コーナメンブレンアンカー機構４を示す図であり、（ａ）がアンカー４ｅの軸に沿う方向から見た平面図であり、（ｂ）がアンカー４ｅの軸に沿う方向と直交する方向から見た側面図であり、（ｃ）が（ｂ）のＡ矢視図である。
【００２６】
これらの図に示すように、三面コーナメンブレンアンカー機構４は、三面コーナ部２Ａに設けられており、三面コーナ部２Ａを形成する３つの面の各々に設けられる脚部４ａと、ベース部４ｂと、ナット４ｃと、ジョイント４ｄと、アンカー４ｅと、押圧部品４ｆとを備えている。
【００２７】
脚部４ａは、コンクリート壁２ａの内壁面に対して垂直方向に延在する棒状の部材であり、ベーパーバリア２ｃを介してコンクリート壁２ａに立設されている。この脚部４ａは、コンクリート壁２ａ側の一端部を形成する第１スタッドボルト４ａ１と、ベース部４ｂ側の一端部を形成する第２スタッドボルト４ａ２と、中央部を形成するロングナット４ａ３とから構成されている。このような脚部４ａは、第２スタッドボルト４ａ２を除く長さが、保冷材層２ｄの外層部２ｄ１の厚さと略同一とされている。
【００２８】
第１スタッドボルト４ａ１は、一端側がコンクリート壁２ａに埋設されており、他端側がネジ溝を形成されてメンブレン２ｂよりも容器本体２の内部側に突出するように取り付けられており、ベーパーバリア２ｃに対して溶接されている。このような第１スタッドボルト４ａ１は、ネジ溝が形成された一端側がロングナット４ａ３の３端部に螺合されている。第２スタッドボルト４ａ２は、両端側にネジ溝が形成されており、ロングナット４ａ３の第１スタッドボルト４ａ１が螺合される端部と反対側の端部に螺合されると共に、ベース部４ｂの後述する貫通孔４ｂ３を通じてベース部４ｂよりも容器本体２の内部側に突出するように取り付けられている。ロングナット４ａ３は、一端側に第１スタッドボルト４ａ１が螺合され、もう一端側に第２スタッドボルト４ａ２が螺合され、これらの第１スタッドボルト４ａ１と第２スタッドボルト４ａ２とを接続している。
【００２９】
このように、本実施形態において脚部４ａは、両端に設けられるスタッドボルト（第１スタッドボルト４ａ１及び第２スタッドボルト４ａ２）と、これらのスタッドボルトが螺合されるロングナット４ａ３とを有している。
【００３０】
ベース部４ｂは、３本の脚部４ａやアンカー４ｅが取り付けられる部位であり、３本の脚部４ａの第２スタッドボルト４ａ２が近接する位置に設けられている。このベース部４ｂは、ジョイント４ｄを介してアンカー４ｅが設置される中央プレート４ｂ１と、中央プレート４ｂ１の縁部に設けられると共に脚部４ａが連結される３つの脚部連結プレート４ｂ２とを有している。各脚部連結プレート４ｂ２は、三面コーナ部２Ａを形成するコンクリート壁２ａの各面に対向する角度で中央プレート４ｂ１に取り付けられている。これらの脚部連結プレート４ｂ２は、上述の保冷材層２ｄの外層部２ｄ１の内層部２ｄ２側の面に当接する位置に配置されている。また、脚部連結プレート４ｂ２には、貫通孔４ｂ３が設けられている。脚部４ａの第２スタッドボルト４ａ２は、この貫通孔４ｂ３を通過してアンカー４ｅが設置される側に突出されている。
【００３１】
ナット４ｃは、脚部連結プレート４ｂ２の貫通孔４ｂ３からアンカー４ｅ側に突出した第２スタッドボルト４ａ２に螺合されており、ワッシャを介して脚部連結プレート４ｂ２のアンカー４ｅ側の表面に当接されている。各脚部４ａの第２スタッドボルト４ａ２に螺合されたナット４ｃが、異なる方向にベース部４ｂを押さえることによって、ベース部４ｂが固定されている。
【００３２】
ジョイント４ｄは、ベース部４ｂの中央プレート４ｂ１に取り付けられており、アンカー４ｅを回動可能に支持する。このジョイント４ｄは、アンカー４ｅの延在方向と直交する水平方向を軸方向とするボルトと、このボルトに螺合されてボルトと共にアンカー４ｅを回動可能に挟持するナットとを有する構造とされている。このようなジョイント４ｄに支持されることによって、アンカー４ｅが、アンカー４ｅの延在方向と直交する水平方向を中心として回動可能とされている。
【００３３】
アンカー４ｅは、軸方向に長い円筒部材であり、先端部の内壁面に押圧部品４ｆを取り付けるためのネジ溝が形成されている。このアンカー４ｅは、根元部がジョイント４ｄを介してベース部４ｂの中央プレート４ｂ１に取り付けられ、押圧部品４ｆが固定される先端が容器本体２の内側に向けて露出されるように貫通孔６に挿入されている。このアンカー４ｅの長さは、保冷材層２ｄの内層部２ｄ２の厚さと略同一とされている。このようなアンカー４ｅは、ベース部４ｂによって支持されることにより、コンクリート壁２ａから離間された状態で支持されている。
【００３４】
図５は、押圧部品４ｆを示す図であり、（ａ）が平面図であり、（ｂ）が側面図である。この図に示すように、押圧部品４ｆは、円盤状の本体４ｆ１と、本体４ｆ１と一体化された軸部４ｆ２とを備えている。本体４ｆ１は、一方側の面が三面コーナメンブレンパネルＭ２の表面形状に合わせた球面の一部形状とされており、この一方側の面が三面コーナメンブレンパネルＭ２に対して容器本体２の内部側から当接している。軸部４ｆ２は、本体４ｆ１の中央部に設けられており、周面にネジ溝が形成された柱状の部位である。この軸部４ｆ２は、アンカー４ｅに螺合される。この軸部４ｆ２をアンカー４ｅに螺合し、押圧部品４ｆを締め付けることによって、本体４ｆ１が三面コーナメンブレンパネルＭ２をコンクリート壁２ａに向けて押さえつけ、これによって三面コーナメンブレンパネルＭ２をコンクリート壁２ａに対して固定する。なお、押圧部品４ｆの本体４ｆ１の縁部は、溶接によって三面コーナメンブレンパネルＭ２に固定されている。
【００３５】
図６は、二面コーナメンブレンアンカー機構５を含む二面コーナ部２Ｂの断面図である。二面コーナメンブレンアンカー機構５は、三面コーナメンブレンアンカー機構４と近い構成を有している。このため、ここでは、三面コーナメンブレンアンカー機構４との相違点について主として説明する。上述の三面コーナメンブレンアンカー機構４は、３つの面が集まる三面コーナ部２Ａに設置されるため、三面コーナ部２Ａを形成する面に立設される脚部４ａを合計で３つ備えている。これに対して、二面コーナメンブレンアンカー機構５は、２つの面が集まる二面コーナ部２Ｂに設置されるため、脚部５ａを２つのみ有している。
【００３６】
ベース部５ｂは、三面コーナメンブレンアンカー機構４のベース部４ｂに相当する。ただし、二面コーナメンブレンアンカー機構５は、脚部５ａを２つのみ備えることから、ベース部５ｂは、ジョイント５ｄが設置される中央プレート５ｂ１（中央プレート４ｂ１に相当）に対して、脚部連結プレート５ｂ２（脚部連結プレート４ｂ２に相当）が２つのみ設けられている。
【００３７】
ナット５ｃは三面コーナメンブレンアンカー機構４のナット４ｃに相当し、ジョイント５ｄは三面コーナメンブレンアンカー機構４のジョイント４ｄに相当し、アンカー５ｅは三面コーナメンブレンアンカー機構４のアンカー４ｅに相当する。
【００３８】
押圧部品５ｆは、三面コーナメンブレンアンカー機構４の押圧部品４ｆに相当するが、本体の二面コーナメンブレンパネルＭ３側が平面とされている点において押圧部品４ｆと異なる。また、二面コーナメンブレンアンカー機構５は、この押圧部品５ｆと二面コーナメンブレンパネルＭ３との間に設置されるスペーサ７を備えている。
【００３９】
なお、例えば、保冷材層２ｄと平面メンブレンアンカー機構３、三面コーナメンブレンアンカー機構４あるいは二面コーナメンブレンアンカー機構５との間に形成される僅かな隙間等には、発泡性の断熱材が必要に応じて充填されている。また、貫通孔６の形成位置等には、必要に応じてシール性を確保するための不図示のガラスクロス等が設置される。
【００４０】
続いて、このように構成された低温タンク１の組立工程の三面コーナメンブレンアンカー機構４に関連する部分について説明を行う。
【００４１】
まず図７（ａ）に示すように、三面コーナメンブレンアンカー機構４の脚部４ａのみが設置された状態において、各脚部４ａが挿通可能な貫通孔が形成された保冷材層２ｄの外層部２ｄ１（保冷パネルＨ１）を配置する。
【００４２】
続いて、脚部４ａを含む外層部２ｄ１の表面に不図示のガラスクロスを貼付した後、図７（ｂ）に示すように、脚部４ａの第２スタッドボルト４ａ２を取り外す。なお、上述のように、脚部４ａは、第２スタッドボルト４ａ２を除く長さが、保冷材層２ｄの外層部２ｄ１の厚さと略同一とされているため、第２スタッドボルト４ａ２を取り外すことによって、ロングナット４ａ３の端部が外層部２ｄ１の表面と略同一となる。
【００４３】
続いて、図７（ｃ）に示すように、３枚の保冷パネルＨ１によって形成されるコーナ部に三面コーナ部用充填部２ｄ４を設置する。この三面コーナ部用充填部２ｄ４は、三面コーナメンブレンアンカー機構４のベース部４ｂが設置される底面を有する正三角錐形状を有している。
【００４４】
続いて、図８（ａ）に示すように、ジョイント４ｄ及びアンカー４ｅが取り付けられたベース部４ｂを設置する。ここでは、ベース部４ｂの脚部連結プレート４ｂ２の貫通孔４ｂ３の位置がロングナット４ａ３の端部と合うように、ベース部４ｂを設置する。
【００４５】
続いて、図８（ｂ）に示すように、先に取り外した第２スタッドボルト４ａ２を、脚部連結プレート４ｂ２の外側から再びロングナット４ａ３に螺合する。また、図８（ｃ）に示すように、ワッシャを介して第２スタッドボルト４ａ２にナット４ｃを螺合し、ベース部４ｂを三面コーナ部用充填部２ｄ４に押さえつけるようにナット４ｃを締め付けることによってアンカー４ｅが固定される。
【００４６】
その後、脚部連結プレート４ｂ２を覆うように不図示のガラスクロスを貼付し、アンカー４ｅが挿入される貫通孔６が形成された保冷材層２ｄの内層部２ｄ２を設置する。さらに、内層部２ｄ２の表面に三面コーナメンブレンパネルＭ２を配置すると共に、アンカー４ｅに押圧部品４ｆを固定し、押圧部品４ｆの本体４ｆ１の縁部と三面コーナメンブレンパネルＭ２、及び、三面コーナメンブレンパネルＭ２を他のメンブレンパネルと溶接する。
【００４７】
なお、二面コーナメンブレンアンカー機構５に関連する部位ついては、三面コーナ部用充填部２ｄ４と異なる三角柱形状の二面コーナ部用充填部２ｄ５を用いる点、押圧部品５ｆと二面コーナメンブレンパネルＭ３との間にスペーサ７が配置される点を除いては、三面コーナメンブレンアンカー機構４と同様の工程で組み立てられる。
【００４８】
以上のような本実施形態の三面コーナメンブレンアンカー機構４では、コンクリート壁２ａに立設される棒状の脚部４ａに対してアンカー４ｅが取り付けられている。このように脚部４ａとアンカー４ｅとが別体とされることにより、脚部４ａに対するアンカー４ｅの取付姿勢を容易に変更することが可能となる。したがって、保冷材層２ｄ及びメンブレン２ｂを貫通する貫通孔６がどのような位置に設けられている場合であっても、この貫通孔６の形成位置に応じた脚部４ａとアンカー４ｅとの取付姿勢を採用することで、アンカー４ｅを貫通孔６に挿入可能な位置に容易に配置することができる。このような貫通孔６に挿通されたアンカー４ｅに対して押圧部品４ｆが固定されて当該押圧部品４ｆによってメンブレン２ｂが押さえられることから、本実施形態の三面コーナメンブレンアンカー機構４によれば、上記貫通孔６の位置を任意に設定し、メンブレン２ｂの任意の箇所を押さえることができる。
【００４９】
また、脚部４ａはコンクリート壁２ａのどの位置にも立設することができることから、コンクリート壁２ａにハンチ構造が設けられているか否かに関係なく、三面コーナメンブレンアンカー機構４を設置することができる。
【００５０】
さらに、本実施形態の三面コーナメンブレンアンカー機構４によれば、棒状の脚部４ａにアンカー４ｅが支持されるため、アンカー４ｅとコンクリート壁２ａとの間に大きな空間が形成される。このため、当該空間に容易に保冷パネルＨ１を配置することができ、三面コーナメンブレンアンカー機構４の周囲に保冷パネルＨ１を隙間なく容易に配置することができる。
【００５１】
また、本実施形態の三面コーナメンブレンアンカー機構４は、球面状に湾曲された三面コーナメンブレンパネルＭ２を押さえている。このように、本実施形態の三面コーナメンブレンアンカー機構４は、メンブレンパネルが湾曲している場合であっても任意の箇所を押さえることができる。
【００５２】
また、本実施形態の三面コーナメンブレンアンカー機構４においては、三面コーナメンブレンパネルＭ２の熱変形の中央位置を押圧するように配置されている。このため、三面コーナメンブレンパネルＭ２が熱変形するときに、三面コーナメンブレンパネルＭ２及び三面コーナメンブレンアンカー機構４に対して局所的に大きな応力が作用することを抑止することができる。
【００５３】
また、本実施形態の三面コーナメンブレンアンカー機構４においては、脚部４ａが接続されるベース部４ｂと、ベース部４ｂに設けられると共にアンカー４ｅを回動可能に支持するジョイント４ｄとを備えている。このため、組立時においてアンカー４ｅの位置が貫通孔６に対してずれた場合であっても、組立現場においてアンカー４ｅの位置を調整することができる。
【００５４】
また、本実施形態の三面コーナメンブレンアンカー機構４においては、脚部４ａが、両端に設けられるスタッドボルト（第１スタッドボルト４ａ１及び第２スタッドボルト４ａ２）と、これらのスタッドボルトが螺合されるロングナット４ａ３とを有している。このため、スタッドボルトとロングナット４ａ３との着脱を容易に行うことができ、脚部４ａを容易に組み立てることができる。
【００５５】
また、本実施形態の二面コーナメンブレンアンカー機構５も、本実施形態の三面コーナメンブレンアンカー機構４と同様の作用及び効果を奏する。
【００５６】
以上、添付図面を参照しながら本発明の好適な実施形態について説明したが、本発明は、上記実施形態に限定されないことは言うまでもない。上述した実施形態において示した各構成部材の諸形状や組み合わせ等は一例であって、本発明の趣旨から逸脱しない範囲において設計要求等に基づき種々変更可能である。
【符号の説明】
【００５７】
１……低温タンク、２……容器本体、２ａ……コンクリート壁、２Ａ……三面コーナ部（コーナ部）、２ｂ……メンブレン、２Ｂ……二面コーナ部（コーナ部）、２ｂ１……コルゲーション、２ｃ……ベーパーバリア、２ｄ……保冷材層（断熱材）、２ｄ１……外層部、２ｄ２……内層部、２ｄ３……充填部、２ｄ４……三面コーナ部用充填部、２ｄ５……二面コーナ部用充填部、３……平面メンブレンアンカー機構、３ａ……基台、３ｂ……アンカー、３ｃ……押圧部品、４……三面コーナメンブレンアンカー機構、４ａ……脚部、４ａ１……第１スタッドボルト、４ａ２……第２スタッドボルト、４ａ３……ロングナット、４ｂ……ベース部、４ｂ１……中央プレート、４ｂ２……脚部連結プレート、４ｂ３……貫通孔、４ｃ……ナット、４ｄ……ジョイント、４ｅ……アンカー、４ｆ……押圧部品、４ｆ１……本体、４ｆ２……軸部、５……二面コーナメンブレンアンカー機構、５ａ……脚部、５ｂ……ベース部、５ｂ１……中央プレート、５ｂ２……脚部連結プレート、５ｃ……ナット、５ｄ……ジョイント、５ｅ……アンカー、５ｆ……押圧部品、６……貫通孔、７……スペーサ、Ｈ１……保冷パネル、Ｈ２……保冷パネル、Ｍ１……平面メンブレンパネル（メンブレンパネル）、Ｍ２……三面コーナメンブレンパネル（メンブレンパネル、コーナメンブレンパネル）、Ｍ３……二面コーナメンブレンパネル（メンブレンパネル、コーナメンブレンパネル）
【図１】
2015096755.tif 000003
【図２】
2015096755.tif 000004
【図３】
2015096755.tif 000005
【図４】
2015096755.tif 000006
【図５】
2015096755.tif 000007
【図６】
2015096755.tif 000008
【図７】
2015096755.tif 000009
【図８】
2015096755.tif 000010